(57)【要約】      （修正有）【課題】据付、交換作業が容易なスカートガード安全装置を備えた乗客コンベアを得る。【解決手段】乗客コンベアは、ステップと、当該ステップの両側に立設された欄干と、前記ステップの両側部と一定のすき間を隔てて立設されたスカートガード３と、前記ステップと前記スカートガード３とのすき間をふさぐスカートガード安全装置であって、スカートガード３の長手方向に沿って取り付けられた基台４と、該基台４に取り付けられ、ステップ側に突出した刷毛体５とからなるスカートガード安全装置とを備えた乗客コンベアにおいて、刷毛体５は、その長手方向の端部に他の刷毛体５と接続可能な接続手段６を有する。【選択図】図１
2012116640.tif 000002
【特許請求の範囲】
【請求項１】
乗客が乗るステップと、当該ステップの両側に立設された欄干と、当該欄干の一部を構成し、前記ステップの両側部と一定のすき間を隔てて立設されたスカートガードと、
前記ステップと前記スカートガードとのすき間をふさぐようにスカートガードからステップ側に向けて突出形成したスカートガード安全装置であって、スカートガードの長手方向に沿って取り付けられた基台と、該基台に取り付けられ、ステップ側に突出した刷毛体とからなるスカートガード安全装置と、
を備えた乗客コンベアにおいて、
前記基台は、その始端から終端に至るまでの間にガイドが設けられ、
前記刷毛体は、前記ガイドに沿ってスライドすると共に基台に取り付けるための刷毛台が設けられ、その長手方向の端部に他の刷毛体と接続可能な接続手段を有する
ことを特徴とする乗客コンベア。
【請求項２】
端部に接続手段を有する刷毛体を収納した予備リールを設け、端部の接続手段を利用して予備リールから刷毛体を引き出しながら基台のガイドに刷毛台をスライドさせて、刷毛体をスカートガードの基台に取り付けられるようにしたことを特徴とする請求項１に記載の乗客コンベア。
【請求項３】
刷毛体を回収する回収リールを設けたことを特徴とする請求項１又は２に記載の乗客コンベア。
【請求項４】
刷毛体が複数の刷毛体部から構成され、該刷毛体部はその長手方向の端部が分離及び接続可能な係合部を有することを特徴とする請求項１〜３のいずれ１項に記載の乗客コンベア。
【請求項５】
両端部に連結部を備えた棒状体よりなる潤滑材であって、該棒状体は潤滑剤が吸着可能であり、連結部は刷毛体の接続手段と接続可能であることを特徴とする請求項１〜４のいずれ１項に記載の乗客コンベア。
【発明の詳細な説明】
【技術分野】
【０００１】
本発明の実施形態は、乗客コンベアに関する。
【背景技術】
【０００２】
乗客コンベアのスカートガードと乗客が乗るステップとのすき間における挟まれ事故を防止することを目的として、乗客等をこのすき間から遠ざけるために乗客コンベアにスカートガード安全装置を備えたものがある。当該安全装置としてはスカートガードに刷毛体を設置する方法がある。当該刷毛体は乗客の移動方向全長に沿って配置する必要があるため、必然的に長く、かつ、連続した形状となる。その形状ゆえに、刷毛体はその据付や交換の作業性が悪く、その作業性を改善することについて種々の提案がなされている。
【先行技術文献】
【特許文献】
【０００３】
【特許文献１】特開２００８−１００８３号公報
【発明の概要】
【発明が解決しようとする課題】
【０００４】
従来の作業性に関する改善提案により、作業性の改善が次第に達成されてきているが、作業性を改善するためにネジ部等の締結パーツが必要となり、その突起形状のため、外観上、見栄えが悪く問題がある。また作業性に関しても、完全に作業性が改善されたとはいいがたく、さらなる改善が望まれている。
【０００５】
そこで、本発明の目的は従来構造の課題を解決したスカートガード安全装置を備えた乗客コンベアを提供することにある。
【課題を解決するための手段】
【０００６】
本発明の実施形態に係る乗客コンベアは、乗客が乗るステップと、当該ステップの両側に立設された欄干と、当該欄干の一部を構成し、前記ステップの両側部と一定のすき間を隔てて立設されたスカートガードと、前記ステップと前記スカートガードとのすき間をふさぐようにスカートガードからステップ側に向けて突出形成したスカートガード安全装置であって、スカートガードの長手方向に沿って取り付けられた基台と、該基台に取り付けられ、ステップ側に突出した刷毛体とからなるスカートガード安全装置と、を備えた乗客コンベアにおいて、前記基台は、その始端から終端に至るまでの間にガイドが設けられ、前記刷毛体は、前記ガイドに沿ってスライドすると共に基台に取り付けるための刷毛台が設けられ、その長手方向の端部に他の刷毛体と接続可能な接続手段を有することを特徴とする。
【図面の簡単な説明】
【０００７】
【図１】本発明の実施例１を表す部分拡大図付概略側面図である。
【図２】本発明の実施例１を表し、図１の矢符Ａから見た概略図である。
【図３】本発明の実施例１に関し、基台と刷毛体とを分解した状態を示す概略図である。
【図４】本発明の実施例２を表す部分拡大図付概略側面図である。
【図５】本発明の実施例３を表す部分拡大図付概略側面図である。
【図６】本発明の実施例４における刷毛体の刷毛台側から見た概略図である。
【図７】本発明の実施例５における刷毛体間に配した潤滑材を刷毛台側から見た概略図である。
【発明を実施するための形態】
【０００８】
以下、本発明に係る乗客コンベアの実施例について、図面を参照して説明する。なお、下記の実施例はエスカレータについてであるが、走行する乗客コンベアとその両側に設置されるスカートガードを有するもの、例えば動く歩道などについても適用できるものである。
【実施例１】
【０００９】
図１は本発明の実施例１に係るスカートガード安全装置を配設した状態を示す乗客コンベアの概略側面図である。一般に、乗客コンベアは乗客が乗るステップ１と、ステップ１の両側に垂直に配置されている欄干２と、この欄干の一部を構成し、ステップ１の両側部と一定のすき間を隔てて直立するスカートガード３から構成される。さらに、図２に示すように、ステップ１とスカートガード３とのすき間をふさぐようにスカートガード３からステップ１側に向けて突出形成したスカートガード安全装置が配設されている。該スカートガード安全装置は、スカートガード３の長手方向に沿って取り付けられた剛体の基台４と、基台４に取り付けられ、ステップ１側に突出した刷毛体５とから構成されている。
【００１０】
そして、本実施例に係る基台４には、図３に示すようにその始端から終端に至るまでの間にガイド４ａが設けられている。また、刷毛体５には、前記ガイド４ａに沿ってスライドすると共に基台４に取り付けるための刷毛台５ａが設けられている。５ｂは刷毛部である。したがって、刷毛体５は、刷毛台５ａをガイド４ａの始端から挿入し、ガイド４ａの終端へ引き出すことにより、基台４に刷毛体５が装着されるようになっている。
【００１１】
さらに、本実施例における刷毛体５は、刷毛台５ａの長手方向の端部に他の刷毛体と接続可能な接続手段としてのリング状部材６を有しており、リング状部材６は開閉口を有していて他のリングと容易に接続可能になっている。
【００１２】
このように、本実施例に係る乗客コンベアにおけるスカートガード安全装置は、刷毛体５の端部である刷毛台５ａの端部を他の刷毛体と接続可能にしたことにより、刷毛体を交換する際に既設の刷毛体と新設する刷毛体とをリング状部材６で接続し、既設の刷毛体を引っ張り出していくだけで、既設の刷毛体が基台４から引き抜くと同時に新しい刷毛体が基台４に挿入されていく。したがって、乗客コンベアにおけるスカートガード安全装置において、既設の刷毛体の取り外しと新しい刷毛体の取り付けが一度にできるため、交換作業が効率的なスカートガード安全装置を備えた乗客コンベアを得ることができる。
【実施例２】
【００１３】
本実施例は、上記実施例１の乗客コンベアに新規の予備刷毛体を収納した予備リール７を設けた構成である。すなわち、図４に示すように、本実施例の基本的構成は実施例１の乗客コンベアにおけるスカートガード安全装置と同じであるが、本実施例では、階下側に予備刷毛体を収納した予備リール７を設けた構成としている。このように構成すると、予備刷毛体及び既設刷毛体５の各端部の接続手段であるリング状部材６を利用して予備刷毛体と既設刷毛体５と連結し、既設刷毛体５を階上側へ引き出すと共に予備リール７から予備刷毛体を引き出せば、基台４のガイド４ａに沿って既設刷毛体５の刷毛台５ａが上方にスライドしていくと共に、下方から既設刷毛体５の刷毛台５ａに連続して予備刷毛体の刷毛台が基台４に沿って上方にスライドし、既設刷毛体５が予備刷毛体に入れ替わって取り付けられることになる。このように予備の刷毛体を必要量だけ予備リールから引き出して設置し、適当な長さで切断すれば、既設刷毛体を新規である予備の刷毛体と簡単に交換することができる。
【００１４】
以上のように構成したことにより、本実施例においては長尺でかさばる刷毛体をコンパクトに収納でき、必要量だけを取り出すことが可能であるため、据付、交換の作業性を改善したスカートガード安全装置を備えた乗客コンベアを得ることができる。
【実施例３】
【００１５】
本実施例は、上記実施例２の乗客コンベアに既設の刷毛体を回収する回収リール８を設けた構成である。すなわち、図５に示すように、本実施例の基本的構成は実施例２の乗客コンベアにおけるスカートガード安全装置と同じであるが、本実施例では、刷毛体の交換の際、既設の刷毛体の回収リール８を設けた構成としている。このように構成すると、回収リール８により、取り外した刷毛体を散乱させることなく回収することできる。
【００１６】
したがって、取り外した刷毛体を一ヶ所に効率的に回収できるため、作業スペースが狭くても交換作業が可能なスカートガード安全装置を備えた乗客コンベアを得ることができる。
【実施例４】
【００１７】
本実施例は、上記実施例１〜３の乗客コンベアにおいて使用する刷毛体、すなわち階下から階上までのエスカレータ１スパンの長さの刷毛体を、複数の刷毛体部を連結して構成したものである。すなわち、本実施例の基本構成は実施例１〜３の乗客コンベアにおけるスカートガード安全装置と同じであるが、本実施例では、図６に示すように、刷毛体５が同一長さの複数の刷毛体部５’，・・・と、刷毛体５を構成する両端部の接続手段としてのリング状部材６を備えた端末部５’’とが、係合部９により連結されて構成されている。この係合部９は、図示するように、刷毛体部５’の一方の端部に凹部側を形成し、他方の端部に凸部側を形成することにより構成され、一つの刷毛体部５’端部の凹部側と他の刷毛体部５’端部の凸部側とを接続することにより連結できるようになっている。なお、端末部５’’は、一方の端部にリング状部材６を取り付け、他方の端部に凹部側を形成したものと凸部側を形成したものとをそれぞれ作成する。
【００１８】
このように、刷毛体５が複数の刷毛体部５’から構成され、刷毛体部５’はその長手方向の端部が分離及び接続可能な係合部９を有する構成としたことにより、刷毛体を分離、接続することができる。したがって、実施例２においては予備リールに巻回してコンパクトにまとめることが可能であるが、本実施例においては、刷毛体５を同長さの刷毛体部５’に分割して束ねるとさらにコンパクトに梱包することが可能になり、刷毛体５の移送に便利である。また、係合部９の構成がシンプルであるため、刷毛体５に組み立てることも容易である。しかも、乗客コンベアに設置後、刷毛体５の一部が破損又は汚損した場合に部分的に取り換えることが可能であるため、作業時間及び作業コストが節減できる。
【実施例５】
【００１９】
本実施例は、上記実施例１〜４の乗客コンベアにおいて使用する刷毛体を交換する際に、刷毛体間に刷毛体の接続手段を介して接続可能な潤滑材１０を備えた構成である。すなわち、図７に示すように、両端部に連結部１０ａを備えた棒状体よりなる潤滑材１０であって、該棒状体は潤滑剤が吸着可能であり、連結部１０ａは刷毛体５の接続手段としてのリング状部材６と接続可能である構成である。
【００２０】
このように構成したことにより、既設の刷毛体と新規の刷毛体とを交換する際に、既設の刷毛体取り外しに伴い、潤滑材１０が基台のガイドを通過し、潤滑材１０に含浸している潤滑剤により基台４のガイド４ａが潤滑されるので、新規の刷毛体の設置をより円滑に行うことができる。また、潤滑材１０が通過するに伴って、ガイド４ａの汚れを除去する機能を果たす。
【００２１】
以上の実施例１〜５に示す如く、刷毛体の据付、交換作業が容易なスカートガード安全装置を備えた乗客コンベアを得ることができる。
【符号の説明】
【００２２】
１・・・・ステップ                          ２・・・・欄干
３・・・・スカートガード
４・・・・剛体の基台                        ４ａ・・・ガイド
５・・・・刷毛体                            ５ａ・・・刷毛台
５ｂ・・・刷毛部
６・・・・接続手段としてのリンク状部材
７・・・・予備リール                        ８・・・・回収リール
５’・・・刷毛体部                          ５’’・・端末部
９・・・・係合部                            １０・・・・潤滑材
１０ａ・・連結部
【図１】
2012116640.tif 000003
【図２】
2012116640.tif 000004
【図３】
2012116640.tif 000005
【図４】
2012116640.tif 000006
【図５】
2012116640.tif 000007
【図６】
2012116640.tif 000008
【図７】
2012116640.tif 000009